(57)【要約】      （修正有）【課題】カッターナイフの替刃及び使用済みカッターナイフの刃先を収納する替刃収納具において、使用済みカッターナイフの刃先がこぼれ出る不具合の発生を防ぐ。【解決手段】替刃収納具Ｃに、カッターナイフの替刃Ｅを収納可能であるとともに上端の略全域を開口してなる第１の収納室１ｓ、及び使用済みカッターナイフの刃先ＥＥを収納可能であるとともにカッターナイフの刃先を収納可能な刃折溝１６ｓを上面に開口させてなる第２の収納室１ｔとを具備する収納具本体１と、この収納具本体１に装着した状態で第１の収納室１ｓを閉塞するとともに、第２の収納室１ｔの刃折溝１６ｓと重合する位置に設けた窓部２１ｘ及び刃折溝１６ｓの少なくとも一部を閉塞する閉止位置Ｓと刃折溝１６ｓの略全域を外部に連通させる開成位置Ｏとの間で移動可能な窓閉塞体２２、及びこの窓閉塞体２２を閉止位置Ｓに係止する閉塞体係止部を有する蓋体２を具備する。【選択図】図２
2008213843.tif 000002
【特許請求の範囲】
【請求項１】
カッターナイフの替刃を内部に収納可能であるとともに上端の略全域を開口してなる第１の収納室、及び使用済みのカッターナイフの刃先を内部に収納可能であるとともにカッターナイフの刃先を収納可能な刃折溝を上面に開口させてなる第２の収納室をそれぞれ具備する収納具本体と、この収納具本体に装着した状態で前記第１の収納室を閉塞するとともに、前記第２の収納室の刃折溝と重合する位置に設けた窓部、この窓部及び前記刃折溝の少なくとも一部を閉塞する閉止位置と少なくとも刃折溝の略全域を外部に連通させる開成位置との間で移動可能な窓閉塞体、及びこの窓閉塞体を前記閉止位置に係止する閉塞体係止部を有する蓋体とを具備することを特徴とする替刃収納具。
【請求項２】
前記蓋体が、前記窓部を有する蓋体本体と、この蓋体本体に対して一側縁部を軸心として回動可能に接続した窓閉塞体とを具備することを特徴とする請求項１記載の替刃収納具。
【請求項３】
前記蓋体本体と前記窓閉塞体とを一体に成形してなることを特徴とする請求項２記載の替刃収納具。
【請求項４】
前記閉塞体係止部が、前記窓部の開口縁と前記窓閉塞体の自由端に設けた係止爪とを係合させてなることを特徴とする請求項２又は３記載の替刃収納具。
【請求項５】
前記窓閉塞体が弾性変形可能であることを特徴とする請求項４記載の替刃収納具。
【請求項６】
前記蓋体のうち前記第１の収納室を閉塞する第１収納室閉塞部の上縁が水平であるとともに、前記窓閉塞体が閉止位置において前記蓋体本体との接合部位に向かい下降する傾斜を有することを特徴とする請求項２、３、４又は５記載の替刃収納具。
【請求項７】
前記窓閉塞体を閉止位置に配した際に、該窓閉塞体の自由端ないしその近傍の部位が前記第１収納室閉塞部の上面よりも上方に位置することを特徴とする請求項６記載の替刃収納具。
【請求項８】
前記第１収納室閉塞部に凹部を設けているとともに、前記窓閉塞体を閉止位置に配した際に、該窓閉塞体の自由端部がこの凹部に臨むことを特徴とする請求項７記載の替刃収納具。
【発明の詳細な説明】
【技術分野】
【０００１】
本発明は、カッターナイフの替刃を内部に収納可能であるとともに上端の略全域を開口してなる第１の収納室、及び使用済みのカッターナイフの刃先を内部に収納可能であるとともにカッターナイフの刃先を収納可能な刃折溝を上面に開口させてなる第２の収納室をそれぞれ具備する替刃収納具に関する。
【背景技術】
【０００２】
従来より、被収納物たるカッターナイフの替刃を収納可能な第１の収納室、及び廃棄物たる不要になったカッターナイフの刃先を収納可能な第２の収納室を有する収納具本体と、これら第１及び第２の収納室の開口を閉塞可能な蓋体とを具備しているとともに、前記第２の収納室の開口部に形成したスリットを利用してカッターナイフの刃先を折り不要になった刃先をそのまま第２の収納室に収納させることが可能な収納具が広く知られている（例えば、特許文献１、２を参照）
【特許文献１】実公昭４５―２９１９９号公報
【特許文献２】実開昭４７―１２５９９号公報
【発明の開示】
【発明が解決しようとする課題】
【０００３】
ところで、前記特許文献１、２記載の構成のような収納具では、前記第１及び第２の収納室を蓋体により閉塞するようにしている。このような収納具では、刃先を折って使用済み廃棄物である刃先をそのまま第２の収納室内に廃棄する便を図るべく、蓋体の第２の収納室上方の部位に刃折溝を設け、この刃折溝を介して第２の収納室を外部に連通する態様が採用されることが多い。しかして、このような収納具において、通常このような替刃収納具を使用する者は、この替刃収納具の収納物が替刃及び使用済み替刃の廃棄物であることを知っているので、細心の注意をもって取り扱う。すなわち、強い振動を加える等の乱暴な扱いを行うことはあり得ない。ところが、子供等、この替刃収納具の収納物が替刃及び使用済み替刃の廃棄物であることを知らない、あるいはこの替刃収納具は細心の注意をもって取り扱うべきであることを知らない者がこの替刃収納具に強い振動を加えると、この刃折溝から前記第２の収納室に収納した廃棄物である刃先がこぼれ出てしまう不具合が発生しうる。
【０００４】
本発明は、以上に述べた課題を解決すべく構成するものである。
【課題を解決するための手段】
【０００５】
すなわち本発明に係る替刃収納具は、カッターナイフの替刃を内部に収納可能であるとともに上端の略全域を開口してなる第１の収納室、及び使用済みのカッターナイフの刃先を内部に収納可能であるとともにカッターナイフの刃先を収納可能な刃折溝を上面に開口させてなる第２の収納室をそれぞれ具備する収納具本体と、この収納具本体に装着した状態で前記第１の収納室を閉塞するとともに、前記第２の収納室の刃折溝と重合する位置に設けた窓部、この窓部及び前記刃折溝の少なくとも一部を閉塞する閉止位置と少なくとも刃折溝の略全域を外部に連通させる開成位置との間で移動可能な窓閉塞体、及びこの窓閉塞体を前記閉止位置に係止する閉塞体係止部を有する蓋体とを具備することを特徴とする。
【０００６】
このようなものであれば、非使用時には窓閉塞体を閉止位置に配しておき、前記閉塞体係止部により窓閉塞体を閉止位置に係止させておくことにより、収納具に誤って強い振動を加えた際であっても、窓閉塞体は閉止位置に係止されているので、前記刃折溝の全体が外部空間に露出しこの刃折溝を介して廃棄物がこぼれ出てしまう不具合の発生を抑えることができる。
【０００７】
このような替刃収納具の窓閉塞体の態様の一例として、前記蓋体が、前記窓部を有する蓋体本体と、この蓋体本体に対して一側縁部を軸心として回動可能に接続した窓閉塞体とを具備するものが挙げられる。このようなものであれば、蓋体全体を一体的に扱うことができるとともに、窓閉塞体を閉止位置以外に配すると窓閉塞体の自由端が蓋体本体から離間するので窓閉塞体の閉じ忘れを一目で確認できる。
【０００８】
特に、前段で述べた蓋体全体を一体的に扱うことができる効果をより顕著に得ることができる構成として、前記蓋体本体と前記窓閉塞体とを一体に成形してなるものが挙げられる。
【０００９】
また、前記閉塞体係止部が、前記窓部の開口縁と、前記窓閉塞体の自由端に設けた係止爪とを係合させてなるものであれば、窓閉塞体を係止しておくための特別な部材を用いずにこのような閉塞体係止部を実現できる。
【００１０】
特に、前記窓閉塞体が弾性変形可能であるものであれば、前記係止爪の突没を該窓閉塞体を弾性変形させて行わせることができ、上述した効果をより好適に得ることができる。
【００１１】
さらに、このような窓閉塞体の開閉を容易に行えるようにするための態様として、前記蓋体のうち前記第１の収納室を閉塞する第１収納室閉塞部の上縁が水平であるとともに、前記窓閉塞体が閉止位置において前記ヒンジ部に向かい下降する傾斜を有するものが挙げられる。このようなものであれば、指等を前記第１収納室閉塞部の上縁に沿って水平にスライドさせた後、前記窓閉塞部の自由端近傍に指等を掛けてそのまま水平にスライドさせると、窓閉塞部の自由端近傍にかかる力の一部が、この窓閉塞部を前記ヒンジを軸心として回動する際の周方向の作用として配分されるからである。なお、本発明において、「水平」とは、前記第１の収納室が鉛直上方に開口するように配置した際に水平であることを示す概念である。
【００１２】
特に、前記窓閉塞体を閉止位置に配した際に、該窓閉塞体の自由端ないしその近傍の部位が前記第１収納室閉塞部の上面よりも上方に位置するものであれば、指等を前記第１収納室閉塞部の上縁に沿って水平にスライドさせた後窓閉塞体の自由端に指が当たるので、開閉操作をさらに簡単に行うことができる。
【００１３】
そして、前記第１収納室閉塞部に凹部を設けているとともに、前記窓閉塞体を閉止位置に配した際に、該窓閉塞体の自由端部がこの凹部に臨むものであれば、窓閉塞体の自由端部を上方に突出させることなく、指等を前記第１収納室閉塞部の上縁に沿って水平にスライドさせた後窓閉塞体の自由端に指を当てるようにできる。
【発明の効果】
【００１４】
本発明に係る替刃収納具は、収納具本体に装着した状態で前記第１の収納室を閉塞するとともに、前記第２の収納室の刃折溝と重合する位置に設けた窓部、この窓部及び前記刃折溝の少なくとも一部を閉塞する閉止位置と少なくとも刃折溝の略全域を外部に露出させる開成位置との間で移動可能な窓閉塞体、及びこの窓閉塞体を前記閉止位置に係止する閉塞体係止部を有する蓋体とを具備するので、非使用時には窓閉塞体を閉止位置に配しておき、前記閉塞体係止部により窓閉塞体を閉止位置に係止させておくことができる。従って、収納具に誤って強い振動を加えた際であっても、窓閉塞体は閉止位置に係止されているので、前記刃折溝の全体が外部空間に露出しこの刃折溝を介して廃棄物がこぼれ出てしまう不具合の発生を抑えることができる。
【発明を実施するための最良の形態】
【００１５】
以下、本発明の一実施の形態について図面を参照して説明する。
【００１６】
本実施形態に係る替刃収納具Ｃは、図１に全体斜視図、図２に中央縦断面図、図３に前記図２におけるｚ−ｚ断面図をそれぞれ示すように、替刃Ｅを内部に収納可能な第１の収納室１ｓ、及び使用済みの刃先ＥＥを内部に収納可能な第２の収納室１ｔをそれぞれ内部に具備する収納具本体１と、この収納具本体１の上方に装着可能なものであって、この収納具本体１に装着した状態で前記第１の収納室１ｓを閉塞する第１収納室閉塞部を有するとともに、前記第２の収納室１ｔの刃折溝１６ｓと重合する位置に設けた窓部２１ｘを備えた蓋体本体２１、この窓部２１及び前記刃折溝１６ｓの少なくとも一部を閉塞する閉止位置Ｓと少なくとも刃折溝１６ｓの略全域を外部に連通させる開成位置Ｏとの間で移動可能な窓閉塞体２２、及びこの窓閉塞体２２を前記閉止位置Ｓに係止する閉塞体係止部２３を有する蓋体２とを具備する。なお、前記図２の実線には窓閉塞体２２を閉止位置Ｓ、同図の想像線には窓閉塞体２２を開成位置Ｏにそれぞれ配した状態を示している。
【００１７】
具体的には、前記収納具本体１は、底壁１１と、この底壁１１の後端から起立する背壁１２と、この背壁１２の左右両側端から前方にそれぞれ突出する側壁１３、１３と、前記背壁１２の幅方向中央部から前方に突出する隔壁１４と、前壁１５とを具備する。また、この収納具本体１は、一方の側壁１３、前記底壁１１、前記背壁１２、前記隔壁１４、及び前記前壁１５により区成される前記第１の収納室１ｓ、及び他方の側壁１３、前記底壁１１、前記背壁１２、及び隔壁１４、及び前記前壁１５により区成される前記第２の収納室１ｔをさらに有する。また、前記第２の収納室１ｔの上端には、上壁１６を設けているとともに、この上壁１６に標準的なカッターナイフの刃先ＥＥを収納可能でありこの刃先ＥＥの幅寸法及び厚さ寸法にそれぞれ対応する幅寸法及び奥行き寸法を有する刃折溝１６ｓを設けている。この刃折溝１６ｓの幅寸法及び奥行き寸法は、第２の収納室１ｔの内法幅寸法及び内法奥行き寸法よりも小さくしている。一方、前記第１の収納室１ｓの開口部たる取出口１ｓ１の内法寸法は、この第１の収納室１ｓの上端部の内法寸法に略一致させている。すなわち、この第１の収納室１ｓは、内法寸法の略全域に亘って外部に連通可能にしている。そして、前記取出口１ｓ１と前記刃折溝１６ｓとは、この収納具本体１の上面に近接させて設けていて、いずれも上方に開口している。
【００１８】
一方、前記蓋体２は、前記図１〜図３を参照しつつ上述したように、また、図４に中央縦断面図、図５に底面図、図６に右側面図、図７に前記図４におけるａ−ａ断面図、図８に前記図４におけるｘ−ｘ断面図をそれぞれ示すように、前記収納具本体１に装着した状態でこの収納具本体１の上部の外方に位置し該収納具本体１に支持させてなる支持枠部２１１、この支持枠部２１１の上端から連接されてなり前記収納具本体１に装着した際に前記第１収納室１ｓを閉塞する第１収納室閉塞部２１２、及び前記収納具本体１に装着した際に前記第２収納室１ｔの上方に位置し前記刃折溝１６ｓを外部に露出させる窓部２１ｘを有する蓋体本体２１と、この蓋体本体２１に対して一側縁部に設定したヒンジ部２２３を軸心として回動可能に接続した窓閉塞体２２と、この窓閉塞体２２を前記閉止位置Ｓに係止する閉塞体係止部２３とを具備する。さらに、前記収納具本体１とこの蓋体２との間には、この蓋体を前記閉止状態Ｓに保持可能な蓋体係止機構４を設けている。この蓋体係止機構４は、前記収納具本体１の背壁１２及び前壁１５の上端部の前後両側に設けた保持突条１７と、前記支持枠部２１１に設けた保持凹部２１１ｘとを弾性係合させてなる。そして、前記蓋体係止機構４の保持突条１７と保持凹部２１１ｘとの係合状態を解除し、この蓋体２を上方に引き上げ収納具本体１と離間させ、装着状態を解除することにより第１の収納室１ｓ及び第２の収納室の両方を外部に連通させることができる。一方、前記蓋体係止機構４の保持突条１７と保持凹部２１１ｘとを係合させることにより、蓋体２を収納具本体１に装着することができる。加えて、前記第１収納室閉塞部２１２には、幅方向中央に向かい下方に傾斜する形状の凹部２１２ｘを設けている。また、前記支持枠部２１１のうち装着状態において第２の収納室１ｔ側方に位置する部位の上縁は、この第２の収納室１ｔの上縁に対応させ、側端縁に向かい下降する傾斜を有する形状にしている。なお、前記図４の（ａ）には窓閉塞体２２を閉止位置Ｓ、同図の（ｂ）には窓閉塞体２２を開成位置Ｏにそれぞれ配した状態を示している。
【００１９】
そして、前記窓閉塞体２２は、本実施形態では前記蓋体本体２１と一体に設けられ、閉止位置Ｓにおいて第２の収納室１ｔ上方に配される。具体的には、この窓閉塞体２２の一側端部に前記ヒンジ部２２３を設定していて、このヒンジ部２２３を蓋体本体２１の支持枠部２１１の一側面の上端に接続している。そして、この蓋体２は、全体を樹脂により一体成形していて、弾性変形可能にしている。また、この窓閉塞体２２の自由端には係止爪２２１を設けていて、閉止位置Ｓにおいてこの係止爪２２１と前記蓋体本体２１の窓部２１ｘとを係合させてなる。すなわち、閉塞体係止部２３を、これら係止爪２２１と前記蓋体本体２１の窓部２１ｘとを係合させてなるものにしている。さらに、前記係止爪２２１の上方には、前記凹部に臨む操作突起部２２２を設けている。
【００２０】
以下に、この替刃収納具Ｃの使用の態様について述べる。
【００２１】
この替刃収納具Ｃから替刃Ｅを取り出す際には、前記蓋体本体２１を弾性変形させて保持突条１７と保持凹部２１１ｘとの係合を解除し、次いで、前記蓋体２を収納具本体１に対して上方に移動させる。このように操作することにより蓋体２の収納具本体１への装着が解除される。そして、このよう蓋体２の装着を解除した、すなわち蓋体２を取り外した状態でこの替刃収納具Ｃを上下に振る、あるいは第１の収納室１ｓの開口が下を向くようにこの替刃収納具Ｃを傾けることにより、替刃Ｅを第１の収納室１ｓの外に飛び出させ、飛び出した替刃Ｅを摘んでこの替刃収納具Ｃの外に取り出す。
【００２２】
一方、刃先ＥＥを折り使用済みの刃先ＥＥをこの替刃収納具Ｃに収納する際には、以下の操作を行うようにしている。まず、前記窓閉塞体２２の操作突起部２２２を水平外方に押圧する。すると、窓閉塞体２２が弾性変形して係止爪２２１と蓋体本体２１の窓部２１ｘの開口縁部との係合が解除される。さらに操作突起部２２２を水平外方に押圧すると、押圧力の一部が前記窓閉塞体２２を前記接続部２３を軸心とした際の周方向、すなわちこの窓閉塞体２２を蓋体本体２１及び第２の収納室１ｔの上縁から離間させる方向に移動させるよう作用する。このように操作することにより、蓋体２を収納体本体１に装着したまま、窓閉塞体２２が前記開放位置Ｏまで移動する。そして、刃折溝１６ｓにカッターナイフの刃先を差し込み、この刃折溝１６ｓに刃の面板方向に垂直に刃を折り曲げることにより使用済みの刃先ＥＥを切り離してそのまま第２の収納室１ｔに収納させる。この操作の終了後は、前記窓閉塞体２２を、その自由端が前記蓋体本体２１の窓部２１ｘに臨む位置まで移動させる。それから窓閉塞体２２をさらに移動させると、該窓閉塞体２２が弾性変形して係止爪２２１が一旦窓部２１ｘの開口端縁から退避し、さらに移動すると該窓閉塞体２２がの形状が復元して係止爪２２１が窓部２１ｘの開口端縁に係合する。このようにして、この窓閉塞体２２を閉止位置Ｓに配し、第２の収納室１ｔを閉塞する。
【００２３】
本実施形態に係る替刃収納具Ｃは、以上に述べたように、この窓閉塞体２２を閉止位置Ｓに配し、第２の収納室１ｔを閉塞させた状態では、この収納具Ｃを誤って強く振り回した場合であっても、閉塞体係止部２３が機能している限り、すなわち窓閉塞体２２の係止爪２２２と蓋体本体２１の窓部２１ｘの開口端縁との係合が解除されない限り、第１の収納室１ｓは蓋体本体２１の第１収納室閉塞部２１２、第２の収納室１ｔは窓閉塞体２２によりそれぞれ閉塞しているので、未使用の刃Ｅ、及び使用済みの刃先ＥＥが収納具外に飛び出さない。さらに、蓋体２を収納具本体１に装着したまま前記窓閉塞体２２を開成位置Ｏに位置付けて刃折溝１６ｓの略全域を外部に連通させることができるので、刃折溝１６ｓを介して移動可能刃先ＥＥを折り使用済みの刃先ＥＥをこの替刃収納具Ｃに収納するという頻度が高い操作を窓閉塞体２２の開閉操作により簡単に行うことができる。すなわち、蓋体２の着脱は、替刃収納具Ｃから新品の替刃Ｅを取り出すという頻度の低い操作の際にのみ行えばよく、蓋体２の収納具本体１に対する着脱の手間を軽減できる。
【００２４】
前記蓋体２が、前記窓部２１ｘを有する蓋体本体２１と、この蓋体本体２１に対して一側縁部に設定したヒンジ部２２３を軸心として回動可能に接続した窓閉塞体２２とを具備するので、蓋体２全体を一体的に扱うことができるとともに、窓閉塞体２２を閉止位置Ｓ以外に配すると窓閉塞体２２の自由端が蓋体本体２１から離間するので、窓閉塞体２２の閉じ忘れを一目で確認できる。
【００２５】
特に、前記蓋体本体２１と前記窓閉塞体２２とを一体に成形してなるので、前段で述べた蓋体全体２を一体的に扱うことができる効果をより顕著に得ることができる。
【００２６】
前記閉塞体係止部２３が、前記窓部２１ｘの開口縁と、前記窓閉塞体２２の自由端に設けた係止爪２２１とを係合させてなるとともに、この閉塞体係止部２２が弾性変形可能であるので、窓閉塞体２２を係止しておくための特別な部材を用いずにこのような閉塞体係止部２３を実現できる。
【００２７】
前記蓋体２のうち前記第１の収納室１ｓを閉塞する第１収納室閉塞部２１２の上縁が水平であるとともに、前記窓閉塞体２２が閉止位置Ｓにおいて前記ヒンジ部２２３に向かい下降する傾斜を有するので、指等を前記第１収納室閉塞部２１２の上縁に沿って水平にスライドさせた後、前記窓閉塞部２２の自由端近傍、本実施形態では操作突起部２２２に指等を掛けてそのまま水平にスライドさせると、窓閉塞部２２の自由端近傍にかかる力の一部が、この窓閉塞部２２を前記ヒンジ部２２３を軸心として回動する際の周方向の作用として配分される。従って、このような窓閉塞体２２の開閉を容易に行えるようにすることができる。
【００２８】
前記窓閉塞体２２を閉止位置Ｓに配した際に、該窓閉塞体２２の自由端ないしその近傍の部位に設定した操作突起部２２２が前記第１収納室閉塞部２１２の上面よりも上方に位置するので、指等を前記第１収納室閉塞部２１２の上縁に沿って水平にスライドさせた後窓閉塞体２２の自由端に指が当たり、開閉操作をさらに簡単に行うことができる。
【００２９】
そして、前記第１収納室閉塞部２１２に凹部２１２ｘを設けているとともに、前記窓閉塞体２２を閉止位置Ｓに配した際に、該窓閉塞体２２の自由端部がこの凹部２１２ｘに臨むので、窓閉塞体２２の操作突起部２２２を窓閉塞体２２の他の部位の上面よりも上方に突出させることなく、指等を前記第１収納室閉塞部２１２の上縁に沿って水平にスライドさせた後窓閉塞体２２の自由端に指を当てるようにできる。
【００３０】
なお、本発明は以上に述べた実施形態に限られない。
【００３１】
例えば、窓閉塞体を蓋体本体に対してスライド可能に取り付ける態様も考えられる。この態様においては、例えば、蓋体本体側に窓閉塞体の移動方向をガイドするガイド溝を設けるとともに、このガイド溝と窓閉塞体との間に閉塞体係止部を設けるようにするとよい。この閉塞体係止部は、例えばガイド溝に設けた凸部と窓閉塞体に設けた係止凹部とを凹凸係合させてなる構成や、窓閉塞体に弾性により突没可能に設けた凸部とガイド溝に設けた凹部とを凹凸係合させてなる構成を採用するとよい。
【００３２】
また、窓部の開口縁に窓閉塞体の自由端に設けた係止爪を係合させる構成の閉塞体係止部を設ける代わりに、窓部の開口縁に係止突条等の弾性により突没可能な凸部を設け、窓閉塞端の自由端側にこの凸部に係合可能な係止凹部を設け、これら凸部と係止凹部とを係合させてなる構成の閉塞体係止部を設けるようにしてもよい。
【００３３】
さらに、窓閉塞体を閉止位置に配した状態の蓋体を直方体状に形成しても構わない。
【００３４】
加えて、窓閉塞体の自由端を閉止位置において隣接する蓋体本体の第１収納室閉塞部よりも上方に突出させる代わりに、窓閉塞体の自由端縁部の上面は閉止位置において隣接する蓋体本体の第１収納室閉塞部の上面よりも下方に位置するようにし、この窓閉塞体の自由端縁部の上面と該窓閉塞体の他の部分の上面との間に段差を設けるようにしても、この段差部分に指を掛けて窓閉塞体の開閉動作を行うようにすることができ、開閉操作が行いやすくなる効果は得られる。逆に、蓋体本体の第１収納室閉塞部に上述した実施形態におけるような凹部を設けなくとも、窓閉塞体の自由端縁部に、前記第１収納室閉塞部の上面よりも上方に突出させて設けた突起を設けている態様であっても、この突起に指を掛けて窓閉塞体の開閉動作を行うようにすることができ、開閉操作が行いやすくなる効果は得られる。
【００３５】
その他、本発明の趣旨を逸脱しない範囲で種々変形が可能である。
【図面の簡単な説明】
【００３６】
【図１】本発明の一実施形態に係る替刃収納具を示す斜視図。
【図２】同実施形態に係る替刃収納具を示す中央縦断面図。
【図３】図２におけるｚ−ｚ断面図。
【図４】同実施形態に係る替刃収納具を示す正面図。
【図５】同実施形態に係る替刃収納具を示す底面図。
【図６】同実施形態に係る替刃収納具を示す右側面図。
【図７】図４におけるａ−ａ断面図。
【図８】図４におけるｘ−ｘ断面図。
【符号の説明】
【００３７】
Ｃ…替刃収納具
１…収納具本体
１ｓ…第１の収納室
１ｔ…第２の収納室
１６ｓ…刃折溝
２…蓋体
２１…蓋体本体
２１ｘ…窓部
２２…窓閉塞体
２３…閉塞体係止部
【図１】
2008213843.tif 000003
【図２】
2008213843.tif 000004
【図３】
2008213843.tif 000005
【図４】
2008213843.tif 000006
【図５】
2008213843.tif 000007
【図６】
2008213843.tif 000008
【図７】
2008213843.tif 000009
【図８】
2008213843.tif 000010